(57)【特許請求の範囲】
【請求項１】
物品を収納した複数の区画収納空間を有し、各区画収納空間毎に、ピッキングする物品の情報を表示するピッキング表示手段を設けたピッキング棚を備え、
前記ピッキング棚に沿ったライン上を移動する仕分け先別の集品容器に、前記ピッキング棚の各区画収納空間から前記ピッキング表示手段にしたがってピッキングされた物品の集品を行うピッキング設備であって、
前記各ピッキング表示手段に、固有の番号を予め設定し、各ピッキング表示手段を、前記区画収納空間に取り付け自在に構成し、
前記各区画収納空間毎に、区画収納空間に設けた前記ピッキング表示手段に固有の番号を設定することにより、前記各ピッキング表示手段へ表示する、前記ピッキングする物品の情報を求め、この表示情報の伝送をコードレスにより行い、前記各区画収納空間と前記ピッキング表示手段の固有の番号との設定を変更することにより、１つの物品が格納される前記区画収納空間の増加あるいは減少に対応する構成としたこと
を特徴とするピッキング設備。
【請求項２】
ピッキング棚の区画収納空間はラインに沿って複数の仕分けエリアが変更自在に設定され、
前記各仕分けエリア毎に、それぞれの仕分けエリアの各ピッキング表示手段への表示情報を伝送する伝送手段を設け、
前記ピッキング棚の前記区画収納空間の配置のデータと前記仕分けエリアの設定のデータを変更し、前記伝送手段に設定されている伝送先のピッキング表示手段の固有の番号を変更することにより、前記仕分けエリアの拡張あるいは縮小に対応する構成としたこと
を特徴とする請求項１に記載のピッキング設備。
【請求項３】
前記集品容器にはそれぞれ前記集品容器を識別する識別符号が付され、前記各仕分けエリア毎に、ライン上を移動してくる前記集品容器より前記集品容器の識別符号を読み取る符号読み取り手段が設けられ、
前記各仕分け先に対応する、集品容器の識別符号のデータと複数のピッキングする物品のデータおよびピック数からなる出荷情報に基づいて、前記設定された各仕分けエリア毎で前記仕分け先毎に、集品容器の識別符号のデータおよびピッキングする区画収納空間と前記物品のデータとピック数からなるピッキングデータを形成し、各仕分けエリア毎に前記符号読み取り手段により読み取られた集品容器の識別符号と前記ピッキングデータにより、ピッキングする区画収納空間と前記物品のデータとピック数からなる前記各ピッキング表示手段へのピッキングする物品の表示情報を形成し、この表示情報の伝送をコードレスにより行う構成としたこと
を特徴とする請求項１または請求項２に記載のピッキング設備。
【請求項４】
ピッキング表示手段は太陽電池または充電式電池またはこれらの組合せより給電されること
を特徴とする請求項１〜請求項３に記載のピッキング設備。
【発明の詳細な説明】
【０００１】
【発明の属する技術分野】
本発明は、物品のピッキングを可能としたピッキング設備に関するものである。
【０００２】
【従来の技術】
従来のピッキング設備では、仕分け先（ユーザーや店舗）毎の集品用のバケット（集品容器）を集品ラインのコンベヤで搬送しながら、このバケットに対して物品の保管棚（ピッキング棚）の各区画収納空間から、この区画収納空間毎に設けられた棚表示器の表示（出荷数量など）に応じて作業員が物品を移載することにより仕分け先毎の物品の集品が行われてきた。
【０００３】
【発明が解決しようとする課題】
しかし、通信技術を利用した通信販売の発達に伴い、このような通信販売において顧客毎に販売する物品をピッキングする設備では、物品がよく変化し、物品のピッキング量も大きく変動することため、区画収納空間の配置、すなわちレイアウトを簡単に変更することができるピッキング棚が望まれている。
【０００４】
そこで、本発明は、レイアウトを簡単に変更することができるピッキング設備を提供することを目的としたものである。
【０００５】
【課題を解決するための手段】
前述した目的を達成するために、本発明のうち請求項１に記載の発明は、物品を収納した複数の区画収納空間を有し、各区画収納空間毎に、ピッキングする物品の情報を表示するピッキング表示手段を設けたピッキング棚を備え、前記ピッキング棚に沿ったライン上を移動する仕分け先別の集品容器に、前記ピッキング棚の各区画収納空間から前記ピッキング表示手段にしたがってピッキングされた物品の集品を行うピッキング設備であって、前記各ピッキング表示手段に、固有の番号を予め設定し、各ピッキング表示手段を、前記区画収納空間に取り付け自在に構成し、前記各区画収納空間毎に、区画収納空間に設けた前記ピッキング表示手段に固有の番号を設定することにより、前記各ピッキング表示手段へ表示する、前記ピッキングする物品の情報を求め、この表示情報の伝送をコードレスにより行い、前記各区画収納空間と前記ピッキング表示手段の固有の番号との設定を変更することにより、１つの物品が格納される前記区画収納空間の増加あるいは減少に対応する構成としたことを特徴とするものである。
【０００６】
上記構成によれば、ピッキング表示手段を区画収納空間に取り付け自在とし、さらに各ピッキング表示手段への表示情報の伝送をコードレスとし、前記各区画収納空間と前記ピッキング表示手段の固有の番号との設定を変更することにより、ピッキング表示手段の取り付け位置の変更を伴う区画収納空間の増加あるいは減少を簡単に行うことができ、ピッキング棚全体の配置（レイアウト）を簡単に変更することができる。
【０００７】
また請求項２に記載の発明は、請求項１に記載の発明であって、ピッキング棚の区画収納空間はラインに沿って複数の仕分けエリアが変更自在に設定され、前記各仕分けエリア毎に、それぞれの仕分けエリアの各ピッキング表示手段への表示情報を伝送する伝送手段を設け、前記ピッキング棚の前記区画収納空間の配置のデータと前記仕分けエリアの設定のデータを変更し、前記伝送手段に設定されている伝送先のピッキング表示手段の固有の番号を変更することにより、前記仕分けエリアの拡張あるいは縮小に対応する構成としたことを特徴とするものである。
【０００８】
上記構成によれば、ピッキング棚の区画収納空間の配置のデータと仕分けエリアの設定のデータを変更し、各仕分けエリアの伝送手段に設定されている伝送先のピッキング表示手段の固有の番号を変更することにより、ピッキング表示手段の取り付け位置の変更を伴う前記仕分けエリアを拡張あるいは縮小を簡単に行うことができ、ピッキング棚全体の配置（レイアウト）を簡単に変更することができる。
また請求項３に記載の発明は、請求項１または請求項２に記載の発明であって、前記集品容器にはそれぞれ前記集品容器を識別する識別符号が付され、前記各仕分けエリア毎に、ライン上を移動してくる前記集品容器より前記集品容器の識別符号を読み取る符号読み取り手段が設けられ、前記各仕分け先に対応する、集品容器の識別符号のデータと複数のピッキングする物品のデータおよびピック数からなる出荷情報に基づいて、前記設定された各仕分けエリア毎で前記仕分け先毎に、集品容器の識別符号のデータおよびピッキングする区画収納空間と前記物品のデータとピック数からなるピッキングデータを形成し、各仕分けエリア毎に前記符号読み取り手段により読み取られた集品容器の識別符号と前記ピッキングデータにより、ピッキングする区画収納空間と前記物品のデータとピック数からなる前記各ピッキング表示手段へのピッキングする物品の表示情報を形成し、この表示情報の伝送をコードレスにより行う構成としたことを特徴とするものである。
【０００９】
上記構成によれば、出荷情報に基づいて仕分けエリア毎にピッキングデータが形成され、この仕分けエリア毎のピッキングデータと符号読み取り手段により読み取られたライン上を移動する集品容器の識別符号とに基づいて、仕分けエリアの各ピッキング表示手段へ伝送される表示情報が形成され、コードレスで伝送される。
また請求項４に記載の発明は、請求項１〜請求項３のいずれかに記載の発明であって、ピッキング表示手段は太陽電池または充電式電池またはこれらの組合せより給電されることを特徴とするものである。 上記構成によれば、ピッキング表示手段への給電は太陽電池が使用され、また太陽電池より充電式電池へ充電しておくことにより、光が弱くなり太陽電池より給電することが難しくなった場合充電式電池よりピッキング表示手段へ給電される。
【００１４】
【発明の実施の形態】
以下、本発明の実施の形態を図面に基づいて説明する。
図１は本発明の実施の形態におけるピッキング設備の要部配置図であり、基本的に、集品される物品が保管されるストレージラインＡと、物品を注文した、あるいは注文があった仕分け先（店舗や顧客など）毎に、ピッキングされた物品を集品（収納）する集品容器を順送りしていく集品ラインＢから構成され、集品ラインＢの上流側から、物品のピッキング作業を行うピッキング作業ゾーンが設けられている。
『ストレージラインＡ』
まず、ストレージラインＡについて説明する。ストレージラインＡは、ピッキング棚（仕分け棚）１とこのピッキング棚１に取り付けられる、ピッキングする物品の情報を表示するピッキング表示手段であるピッキング表示器２から構成されている。
「ピッキング棚１」
ピッキング棚１は、図２および図３に示すように、流動棚から形成され、前方に傾斜している複数段（図では３段）のラック３を有し、各ラック３にはそれぞれ、物品４を収納した容器５（あるいは物品４のみであってもよい）を格納する複数の区画収納空間６が形成され、各区画収納空間６毎にローラコンベヤ７が設けられ、最下段のローラコンベヤ７の前端には容器５を斜め前方の姿勢で支持する支持具８が設けられ、他のローラコンベヤ７の前端にはストッパ８Ａが設けられている。この構成により、支持具８またはストッパ８Ａにより係止された容器５から必要な物品４を取り出し、容器５が空になればその容器５を除去することにより、次の容器５が前面にでてくる。またローラコンベヤ７は、図２に示すように、各ラック３毎にローラピッチを変えている。
【００１５】
また下段の区画収納空間６では、容器５の開口を立てて容器５の長い辺を前面として配置し、中段の区画収納空間６では、容器５の開口を横向きにし、容器５の長い辺を下にして配置し、上段の区画収納空間６では、容器５の開口を横向きにし、容器５の短い辺を下にして配置しており、下段の１容器と中段の１容器と上段の２容器が上下に整列するように配置している。
【００１６】
また、ピッキング棚１には、集品ラインＢに沿って、ピッキング作業を行う一人あるいは二人の作業員Ｈが処理する複数の区画収納空間６からなる仕分けエリアＳが設定される。
「ピッキング表示器２」
ピッキング表示器２はマグネットにより区画収納空間６に取り付け自在とされており、図４に示すように、ピッキング表示器２の前面にピックアップの有無を表示する表示ランプ（ＬＥＤ表示器）12と太陽電池13が設けられ、内部に充電式電池とリモコン受信器（図示せず）が設けられ、後述するリモコン送信器から送信される表示情報（表示ランプ12のオン・オフ信号）をリモコン受信器により受信し、表示情報（信号）がオンのとき、表示ランプ12を点灯する構成とされている。また表示ランプ12とリモコン受信器へは太陽電池13より給電されている。また太陽電池13より充電式電池へ充電しており、光が弱くなり太陽電池13より給電することが難しくなった場合、充電式電池より表示ランプ12とリモコン受信器へ給電される。
【００１７】
また各区画収納空間６に格納された容器５に収納される物品４には、図１に示すように、それぞれ物品４を特定する、１３桁のＪＡＮコードのバーコード（識別符号の一例）が印刷されたバーコードラベル14が取り付けられている。
「ハンディターミナル」
また各仕分けエリアＳには、図１に示すように、作業員Ｈが携帯し、作業員Ｈが手に持って操作できるハンディタイプのターミナル（以下、ハンディターミナルと略す）16が用意されている。このハンディターミナル16には、図５に示すように、上記物品４に取り付けられたバーコードラベル14に印刷されたバーコードおよび後述する集品容器に取り付けられたバーコードラベル23に印刷されたバーコードを読み取るバーコードリーダ（符号読み取り手段の一例）17と、３桁のディジタル表示器からなる数量表示器18が設けられており、アンテナ（図示せず）を介してこれらバーコードリーダ17のバーコード読み取りデータと数量表示器18の表示データの送受信が行われる。なお、これら送受信のデータには、ハンディターミナル16に予め設定された固有のデータ、たとえば配置される仕分けエリアＳのデータ（たとえば番号）が付される。
「リモコン送信器」
また各仕分けエリアＳ毎に、赤外線を使用してコードレスで仕分けエリアＳ内のピッキング表示器２へ表示情報を送信するリモコン送信器（伝送手段の一例）19（図６）が設けられている。このリモコン送信器19には、送信先のピッキング表示器２毎の固有の番号が予め設定されており、後述するコントローラ31からの表示データにより、ピッキング表示器２を特定して表示情報を送信する。
『集品ラインＢ』
次に、集品ラインＢについて説明する。集品ラインＢは、図１，２に示すように、基本的にラインを形成しコンテナからなる集品容器20が移動するピッキングコンベヤ21と、仮置き台22から構成されている。
「ピッキングコンベヤ（集品コンベヤ）21」
ピッキングコンベヤ21は、ピッキング棚１の前面に沿って配置されており、フリーローラコンベヤから形成され、集品容器20を下流の仕分けエリアＳへ移動可能な構成とされている。また各集品容器20には、仕分け先（たとえば店舗）を特定する、１３桁のＪＡＮコードのバーコード（集品容器を識別する識別符号の一例）が印刷されたバーコードラベル23が取り付けられている。
「仮置き台22」
仮置き台22は、ピッキングコンベヤ21とピッキング棚１との間に配置され、ピッキングされた物品４を置く台として使用される。
【００１８】
上記構成による制御ブロック図を図６に示す。
［制御ブロック］
31は上位のコンピュータ（図示せず）より出荷情報として、店舗別（仕分け先別）に『店舗に対応する集品容器20のデータと複数の「ピッキングする物品の情報およびピッキングする物品の個数（以下、ピック数と略す）」』からなる作業データが入力されるコントローラ（制御手段の一例；詳細は後述する）であり、このコントローラ31に、各仕分けエリアＳ毎のリモコン送信器19が接続され、さらにアンテナ（図示せず）を介してハンディターミナル16が接続されている。またコントローラ31に、ピッキング棚１の区画収納空間６の配置のデータ、仕分けエリアＳ毎の区画収納空間６｛作業員（ピッカー）が担当する区画収納空間６｝の設定のデータ（仕分けエリアＳの設定のデータと略す）、各区画収納空間６に格納された物品４のデータ、各区画収納空間６に取り付けられたピッキング表示器２のデータ、各物品４のバーコードデータ、各集品容器20のバーコードデータが予め格納される。
［コントローラ31］
コントローラ31には、図６に示すように、仕分けエリアＳ毎に、仕分けエリアＳのハンディターミナル16とリモコン送信器19を介してこの仕分けエリアＳ内の各区画収納空間６のピッキング表示器２とに対応したピック制御部32が設けられ、また上位コンピュータより出荷情報（作業データ）を入力する毎に、各仕分けエリアＳにピッキング用のデータを振り分ける機能を有する作業データ振り分け制御部33が設けられている。また各ピック制御部32に、各区画収納空間６に取り付けられたピッキング表示器２のデータ、各物品４のバーコードデータ、各集品容器20のバーコードデータが予め格納され、作業データ振り分け制御部33に、ピッキング棚１の区画収納空間６の配置のデータ、仕分けエリアＳの設定のデータ、各区画収納空間６に格納された物品４のデータが予め格納されている。
＜作業データ振り分け制御部33＞
作業データ振り分け制御部33の機能を詳細に説明する。
【００１９】
上記『店舗に対応する集品容器20のデータと複数の「ピッキングする物品の情報およびピッキングする物品のピック数』からなる出荷情報を入力する毎に、この出荷情報の各ピッキングする物品の情報から、「各区画収納空間に格納された物品４のデータ」に基づいて、物品４をピッキングする各区画収納空間６を検索し、これら検索されたピッキングする区画収納空間６を、「仕分けエリアＳの設定のデータ」に基づいて、区画収納空間６が配置された仕分けエリアＳ毎にまとめ、各仕分けエリアＳ毎のピック制御部32へ、
「集品容器20のデータ」と複数の「ピッキングする区画収納空間６および物品４のデータとピック数」
からなるピッキングデータを出力する。なお、出荷情報の集品容器20に対してピッキングする区画収納空間６が存在しない（ピッキングする物品４が存在しない）仕分けエリアＳのピック制御部32へは、
「集品容器20のデータ」と「０」
からなるピッキングデータを出力する。
＜ピック制御部32＞
ピック制御部32は、作業データ振り分け制御部33より上記ピッキングデータを入力する毎に記憶し、次の動作を実行する。図７のフローチャートを参照しながら説明する。
【００２０】
ハンディターミナル16のバーコードリーダ17より集品容器20のバーコード読み取りデータを入力すると（ステップ−１）、記憶したピッキングデータの中から集品容器20のバーコードデータによりピッキング作業を実行するピッキングデータを検索する（ステップ−２）。
【００２１】
検索したピッキングデータの「ピッキングする区画収納空間６および物品４のデータとピック数」を確認し（ステップ−３）、「０」のとき、数量表示器18へ「ＰＡＳ」の表示データを出力し、「ＰＡＳ」を表示させ（ステップ−４）、終了する。
【００２２】
ステップ−３において、検索したピッキングデータの「ピッキングする区画収納空間６および物品４のデータとピック数」が「０」ではないとき、「ピッキングする区画収納空間６および物品４のデータとピック数」の中の最初のデータを取り出し（ステップ−５）、区画収納空間６のデータによって、「各区画収納空間６に取り付けられたピッキング表示器２のデータ」からこの空間６に対応するピッキング表示器２のデータ（番号）を求めて、このピッキング表示器２の表示ランプ12を点灯する表示情報をリモコン送信器19へ出力し（ステップ−６）、数量表示器18へピック数からなる表示データを出力する（ステップ−７）。
【００２３】
これによりピッキングを行う区画収納空間６のピッキング表示器２の表示ランプ12が点灯し、ハンディターミナル16の数量表示器18にピッキングする物品４の数量が表示される。
【００２４】
次に、ハンディターミナル16のバーコードリーダ17よりピッキングされた物品４のバーコード読み取りデータを入力すると（ステップ−８）、ピッキングする物品４のデータと一致しているかを確認し（ステップ−９）、一致しないとき、数量表示器18へ「Ｅｒｒ」の表示データを出力し、「Ｅｒｒ」を表示させ（ステップ−１０）、ステップ−８へ戻る。一致しているときピッキングする物品４の数量（ピック数）から減算し（ステップ−１１）、数量が０（ゼロ）になったかどうかを確認し（ステップ−１２）、０となると、リモコン送信器19へ出力しているピッキング表示器２の表示情報を消去し（ステップ−１３）、数量表示器18へ出力している表示データ（ピック数）を消去する（ステップ−１４）。
【００２５】
これによりピッキングを行う区画収納空間６のピッキング表示器２の表示ランプ12が消灯し、ハンディターミナル16の数量表示器18の表示が消去される。
数量が０（ゼロ）ではないとき、ステップ−８へ戻り、次の物品４のバーコードデータの入力を確認する。
【００２６】
次に、「ピッキングする区画収納空間６および物品４のデータとピック数」の中に次のデータが存在するかを確認し（ステップ−１５）、確認すると次のデータを取り出し（ステップ−１６）、ステップ−６へ戻り、次のデータの区画収納空間６のデータによるピッキング表示器２の表示情報をリモコン送信器19へ出力し、数量表示器18へピック数からなる表示データを出力する。
【００２７】
次のデータがないとき、すなわちこの仕分けエリアＳにおけるこの集品容器20へ投入する物品４がなくなったとき、数量表示器18へ「Ｅｎｄ」の表示データを出力し、「Ｅｎｄ」を表示させ（ステップ−１７）、終了する。
【００２８】
上記構成による各仕分けエリアＳのピッキング作業について説明する。なお、上流の仕分けエリアＳより、この仕分けエリアＳへ集品容器20が移動してきたものとする。
【００２９】
まず、作業員Ｈは、集品容器20のバーコードラベル23のバーコードをハンディターミナル16のバーコードリーダ17により読み込ませる。
コントローラ31（ピック制御部32）は、このバーコードリーダ17より集品容器20のバーコード読み取りデータを入力すると、この集品容器20のピッキングデータを求め、最初にピッキングを行う物品４が収納される区画収納空間６のピッキング表示器２の表示ランプ12を点灯させ、ピック数をハンディターミナル16の数量表示器18へ表示させる。
【００３０】
作業員Ｈは、ピッキング表示器２の表示ランプ12が点灯した区画収納空間６から数量表示器18に表示されたピック数の物品４をピッキングして仮置き台22に並べて、各物品４のバーコードラベル14のバーコードをハンディターミナル16のバーコードリーダ17により順に読み込ませる。
【００３１】
コントローラ31は、入力した物品４のバーコードによりピッキングされる物品４のバーコードかを確認し（正しい物品４がピッキングされたかを確認し）、正しい物品４がピッキングされていないとき、数量表示器18に「Ｅｒｒ」を表示させる。これにより作業員Ｈは物品４を元の区画収納空間６へ返却し、正しい物品４を取り出し、再度物品４をピッキングしてバーコードラベル14のバーコードをハンディターミナル16のバーコードリーダ17により読み込ませる。
【００３２】
コントローラ31は、入力した物品４のバーコードによりピッキングされる物品４のバーコードかを確認し、ピック数の一致を確認すると、この区画収納空間６をピッキング終了と判断し、この区画収納空間６のピッキング表示器２の表示を消灯し、数量表示器18に表示されたピック数を消去する。
【００３３】
作業員Ｈは、ピッキング表示器２の表示ランプ12が消えたことで、正しく物品４をピッキングしたことを確認し、ピッキングした物品４を集品容器20へ投入する。もしピック数が不足すると、ピッキング表示器２の表示ランプ12が消えないので、物品４を確認して不足の物品４をピッキングしてバーコードラベル14のバーコードをハンディターミナル16のバーコードリーダ17により読み込ませる。
【００３４】
続いてコントローラ31は、次にピッキングを行う物品４が収納されるピッキング表示器２の表示ランプ12を点灯させ、ピック数をハンディターミナル16の数量表示器18へ表示させ、同様に作業員Ｈによるピッキング作業が実行される。
【００３５】
コントローラ31はこの仕分けエリアＳにおける集品容器20へのピッキング作業が終了すると、数量表示器18に「Ｅｎｄ」を表示させる。
作業員Ｈは、数量表示器18に「Ｅｎｄ」が表示されたことで、この仕分けエリアＳにおけるピッキング作業が終了したことを確認し、集品容器20を押して下流への仕分けエリアＳへ移動させる。
【００３６】
次に、仕分けエリアＳを変更するときの作業について説明する。
仕分けエリアＳ内において、１つの物品４のピッキング量が増加し、格納する区画収納空間６を増加させるとき、たとえば１つの区画収納空間６から２つの区画収納空間６に増加させるときには、１つのピッキング表示器２を取り外し、２つの区画収納空間６の中間位置へ他方のピッキング表示器２を移動させる。また物品４のピッキング量が減少し、格納する区画収納空間６を減少させるとき、たとえば２つの区画収納空間６に格納されていた物品４を一つの区画収納空間６だけに格納するように区画収納空間６を縮小するときは、中間の１つのピッキング表示器２を一方の区画収納空間６へ移動させ、他方の区画収納空間６には新たにピッキング表示器２を取り付ける。このようなピッキング表示器２の取り付け取り外しは、マグネット式としていることにより極めて簡単に行える。
【００３７】
このような区画収納空間６とピッキング表示器２と格納される物品４の変更に伴い、コントローラ31に設定される、「ピッキング棚１の区画収納空間６の配置のデータ」、「各区画収納空間６に格納された物品４のデータ」、「各区画収納空間６に取り付けられたピッキング表示器２のデータ」を変更する。またリモコン送信器19に設定されている、送信先のピッキング表示器２の番号を変更し、仕分けエリアＳ内の配置の変更に基づき表示情報が伝送されるピッキング表示器２を変更する。これらの設定変更はコントローラ31のプログラムを変更することなく簡単に行える。
【００３８】
また区画収納空間６を異なる仕分けエリアＳに属するように、仕分けエリアＳを拡張あるいは縮小するとき、コントローラ31に設定される、「ピッキング棚１の区画収納空間６の配置のデータ」、「仕分けエリアＳの設定のデータ」を変更する。またリモコン送信器19に設定されている、送信先のピッキング表示器２の番号を変更し、仕分けエリアＳの変更に基づき表示情報が伝送されるピッキング表示器２を変更する。これら設定変更はコントローラ31のプログラムを変更することなく簡単に行える。
【００３９】
以上のように本実施の形態によれば、ピッキング表示器２を区画収納空間６に取り付け自在とし、このピッキング表示器２の表示情報の伝送をリモコン送信器19によりコードレスで行うことにより、物品４の変化や物品４のピッキング量の変動に伴ってピッキング表示器２を取り付ける位置を簡単に変更でき、ピッキング棚１全体の配置（レイアウト）を簡単に変更することができる。
【００４０】
またピッキング表示器２への給電は太陽電池13が使用され、また太陽電池13より充電式電池へ充電しておくことにより、光が弱くなり太陽電池13より給電することが難しくなった場合でも充電式電池よりピッキング表示器２を駆動することができる。なお、上記給電を、太陽電池13のみ、あるいは充電式電池のみとした場合にでも、上記「ピッキング量の変動に基づいてピッキング表示器２を取り付ける位置を簡単に変更でき、ピッキング棚１全体の配置（レイアウト）を簡単に変更することができる」という優れた効果を期待することができる。
【００４１】
また仕分けエリアＳにおいて、ハンディターミナル16のバーコードリーダ17によりピッキングされた物品４のバーコードが読み取られて集品容器20へ投入されることによって、投入された物品４が正しくピッキングされたかが確認されることにより、すなわち物品４の検品が行われることにより、検品の精度を大幅に向上させることができ、さらに下流で検品作業を実行する手間を無くすことができる。
【００４２】
なお、本実施の形態では、リモコン送信器19は、赤外線を使用してピッキング表示器２へ表示情報を送信しているが、赤外線に限ることはなく、可視光線などの他の光や電波を使用して表示情報を送信するようにしてもよい。
【００４３】
また本実施の形態では、ピッキング表示器２においてピッキング作業の有無を表示し、ハンディターミナル16に設けた数量表示器18によりピッキング数量を表示しているが、ピッキング表示器２にピッキング数量を表示するようにすることもできる。このとき、数量表示器18は不要となり、またリモコン表示給電19より各ピッキング表示器２へピッキング数量のデータが送信される。
【００４４】
また本実施の形態では、ピッキング表示器２への給電を、太陽電池13と充電式電池を併用して行っているが、常に充電式電池のみから行うようにしてもよい。また通常の乾電池（単三電池など）を、太陽電池13または充電式電池と併用するようにしてもよい。
【００４５】
また本実施の形態では、ピッキング表示器２をマグネットにより区画収納空間６へ取り付け自在としているが、マグネットに限ることなく、接着テープや接着材料などを使用して取り付け自在とすることもできる。
【００４６】
また本実施の形態では、ピッキングされた物品４の全てのラベル14のバーコードを読み込ませているが、区画収納空間６よりピッキングした１個（代表）の物品４のラベル14のバーコードを読み取らせるだけで、この区画収納空間６のピッキング終了と見なすこともできる。また検品できたと見なすこともできる。
【００４７】
また本実施の形態では、識別符号としてバーコードを使用しているが、バーコードに限ることはなく、物品を特定する識別できる符号であればよく、たとえば数字、アルファベット、あるいはこれらの組合せ、シンボル、マーク、ＩＣチップなども使用することができる。このとき、バーコードリーダに代えて、識別符号の読み取り手段として、たとえばＣＣＤカメラおよびこのカメラにより撮影された画像から識別符号を識別する識別装置などを使用する。
【００４８】
また本実施の形態では、各仕分けエリアＳにハンディターミナル16を設けているが、仮置き台22に、物品４のバーコードラベル14のバーコードを読み取る固定式バーコードリーダ（識別符号読み取り手段の一例）を設け、ピッキングした物品４を確認する装置としてこの固定式バーコードリーダ32を使用するようにしてもよい。このとき、集品容器20のバーコードラベル23を読み取るバーコードリーダをピッキングコンベヤ21に沿って設け、集品容器20のバーコードを読み取るようにする。またハンディターミナル16をコードレスとしているが、有線とすることもできる。
【００４９】
また本実施の形態では、集品容器20を下流へ移動する手段としてフリーローラコンベヤを使用しているが、台車などを含むフリー状態のものを使用してもよい。またフリーローラコンベヤに代えて駆動ローラコンベヤを設置し、さらに各仕分けエリアＳの下流端毎に集品容器20のストッパを設置し、ストッパを上げることで集品容器20を仕分けエリアＳ内に滞留させ、下げることで集品容器20を下流へ搬送させるようにしてもよい。ストッパを下げる信号は、仕分けエリアＳにおいて集品容器20へ投入する物品４がなくなり上記「Ｅｎｄ」を表示させる信号を使用すればよい。
【００５０】
また本実施の形態では、集品ラインＢに対向してストレージラインＡを配置しているが、集品ラインＢを挟んで両側にそれぞれストレージラインＡを配置して、集品容器20に対して両側のピッキング棚１から物品４をピッキングして投入するようにしてもよい。
【００５１】
また本実施の形態では、仮置き台22をピッキングコンベヤ21の前方に配置しているが、この位置に限ることはなく、ピッキング棚１の前方などに配置することも可能である。
【００５２】
また本実施の形態では、ピッキング棚１として流動棚を使用しているが、容器５が移動しない一般棚を使用するようにすることもできる。
また本実施の形態では、集品容器20としてコンテナを使用しているが、バケットやケースやダンボール箱など、あるいは蓋付きのもの（封函可能なもの）を使用するようにしてもよい。
【００５３】
また本実施の形態において、ピッキングされた物品４に値段ラベルを貼ることができるような構成とすることもできる。このとき、各仕分けエリアＳ毎に、ラベルプリンタを設け、値段ラベルを発行してそのラベルを作業員が物品４に貼りつけてようにする。またラベルプリンタを、値段ラベルを直接、物品４へ貼りつける自動貼付タイプとすることもできる。またハンディターミナル16に、ラベルプリンタのラベル発行機能を付加し、ハンディターミナル16によりラベルを発行させるようにしてもよい。
【００５４】
【発明の効果】
以上のように本発明によれば、ピッキング表示手段を区画収納空間に取り付け自在とし、さらに各ピッキング表示手段への表示情報の伝送をコードレスとし、前記各区画収納空間と前記ピッキング表示手段の固有の番号との設定を変更することにより、ピッキング表示手段の取り付け位置の変更を伴う区画収納空間の増加あるいは減少を簡単に行うことができ、ピッキング棚全体の配置（レイアウト）を簡単に変更することができる。
【図面の簡単な説明】
【図１】本発明の実施の形態におけるピッキング設備の要部配置図である。
【図２】同ピッキング設備の要部模式図である。
【図３】同ピッキング設備のピッキング棚の正面図である。
【図４】同ピッキング設備のピッキング表示器の正面図である。
【図５】同ピッキング設備のハンディターミナルの正面図である。
【図６】同ピッキング設備のコントローラのブロック図である。
【図７】同ピッキング設備のコントローラのピック制御部の動作を説明するフローチャートである。
【符号の説明】
１    ピッキング棚
２    ピッキング表示器
４    物品
５    容器
６    区画収納空間
12    表示ランプ
13    太陽電池
14，23    バーコードラベル
16    ハンディターミナル
17    バーコードリーダ
18    数量表示器
19    リモコン送信器
20    集品容器
21    ピッキングコンベヤ
22    仮置き台
31    コントローラ
Ａ    ストレージライン
Ｂ    集品ライン
Ｈ    作業員
【図１】
0004026311.tif 000002
【図２】
0004026311.tif 000003
【図３】
0004026311.tif 000004
【図４】
0004026311.tif 000005
【図５】
0004026311.tif 000006
【図６】
0004026311.tif 000007
【図７】
0004026311.tif 000008